(57)【要約】      （修正有）【課題】外周部側面へタイトル表記を施した光ディスクを大量に収納した省スペースタイプ収納用具から取り出す際の手間を改善する。【解決手段】収納容具は、中心軸筒４及び回転軸５を設けたカバーベース６を一対に設け、ベース７と接合し、その外周に、透明カバー１８を設け、上部複数箇所にロックリブ１９を設け、蓋２０に設けたストッパー２１により着脱を可能にしている。中心軸筒４は、スライドツマミ８、外形にスライドリブ、カウント目盛りを設け、下部内部左右に光ディスク１を取り出す爪１２が、爪取付けボックス１３に嵌め込まれる。又概スライド軸筒１１には、上部に中心軸ツマミ１５圧縮バネ１７を設けた中心軸１６が挿入され、光ディスク１の取り出し機構を形成、又前記カバーベース６に設けた回転軸５には、レンズ３と連動するレンズ回転レバー２２を嵌合させ前記透明カバー１８の外周を自由にレンズ３が回転する。【選択図】図８
2008243346.tif 000002
【特許請求の範囲】
【請求項１】
光ディスクレーベル面へ印刷、又は刻印等で表記のタイトル等を、光ディスク外周部側面へディスク生産時に印刷、又は生産後に印刷、或いは転写、シール等の方法を用いて表記したことを特徴とした、ディスク外周部側面印刷光ディスク。
【請求項２】
光ディスクレーベル面及び光ディスク外周部側面の両方へタイトル等を併記したことを特徴とした請求項１記載のディスク外周部側面印刷光ディスク。
【請求項３】
表記した文字は非常に小さく見にくいので、ディスクを平面に縦に重ねるか、又はディスクを立てて横に並べた状態で収納する収納用具の適当な場所に、ディスク外周部側面へ表記したタイトル等の文字が見易いよう、数倍に拡大できる拡大レンズを設け、数十枚収納してあっても、一枚ずつレーベル面を見ずとも、所望のディスクが簡単に見つける事を可能とした収納用具を併用したことを特徴とした請求項１記載のディスク外周部側面印刷光ディスク。
【発明の詳細な説明】
【技術分野】
【０００１】本発明は、光ディスク外周部側面への印刷及び該ディスクの収納具に関するものである。
【背景技術】
【０００２】現有の光ディスクは記録済み、ブランクディスク共、レーベル面（盤面上部平面箇所）へ印刷、刻印或いは筆記具等で必要事項を表記している。これらレーベル面へ表記したディスクを収納する為に、様々に工夫された収納用具が各種市販されている。これらの収納用具は殆どが数枚〜数十枚の収納が可能である。
【発明が解決しようとする課題】
【０００３】しかし、これら収納用具から、任意のディスクを取り出すには、一枚ずつレーベル面に表記されたタイトル等を目視せねばならず、数十枚の中から所望の一枚を取り出すにはそれなりに手間が掛かっているのが現状である。
【課題を解決する手段】
【０００４】本発明は、現在光ディスクレーベル面に表記されているタイトル等をディスク外周部側面へ表記する方法である。しかし、ディスクの厚みは約１．２ｍｍと薄いので、そこに表記した文字は非常に小さく見にくいので、ディスクを平面に縦に重ねるか、又はディスクを立てて横に並べた状態で収納する収納用具の適当な場所に、ディスク外周部側面へ表記したタイトル等の文字が見易いよう、数倍に拡大できる拡大レンズを設けてある。そうすることで、数十枚収納してあっても、一枚ずつレーベル面を見ずとも、所望のディスクが簡単に見つける事が可能である。本考案はユーザー自身でタイトル等を印刷し利用する他プレスメーカーでの生産時に印刷してもよい、その際ディスク外周部側面のみ、或いは外周部側面とレーベル面の両方へ併記してもよい。
【発明の実施と形態】
【０００５】本発明の構成を図１〜図６に依って説明する。
光ディスク１の外周部側面へタイトル２を１箇所又は複数箇所、或いは全周に印刷或いは転写、シール等の方法を用いて表記構成している。
【０００６】外周部側面にタイトル２を印刷した前記光ディスク１を収納する収納容具は、中心軸筒４及び回転軸５を設けたカバーベース６が一対に設けられ、ベース７と接合形成し、前記中心軸筒４内部には、スライドツマミ８、及び外形にスライドリブ９、カウント目盛り１０を設け、下部内部左右には、光ディスク１を取り出す硬質（例えば金属等）素材を使用した爪１２が、Ｖ字形状の押しバネ１４を一体に設けた爪取付けボックス１３に嵌め込まれ、各々を形成したスライド軸筒１１が取付けられている。
又概スライド軸筒１１内部には、上部に中心軸ツマミ１５を設け圧縮バネ１７を取付けた中心軸１６が挿入され、光ディスク１の取り出し機構を構成している。
【０００７】前記カバーベース６の外周部に、透明カバー１８を接合し、概透明カバー１８は、上部複数箇所にロックリブ１９を設け、蓋２０に設けたストッパー２１により着脱を可能にしている。
【０００８】又、前記カバーベース６に設けた回転軸５には、レンズ３と連動するレンズ回転レバー２２を嵌合させ前記透明カバー１８の外周を自由にレンズ３が回転する様に構成している。
【実施例】
【０００９】本発明の実施例を図１〜図８に依って説明する。
レンズ３で取り出したい光ディスク１を確認し、光ディスク１の収納位置にスライド軸筒１１を移動させ、概スライド軸筒１１に設けたカウント目盛り１０を目的の位置に中心軸筒４の上面に合せ蓋２０に設けたストッパー２１のロックを解除し、中心軸ツマミ１５をスライドツマミ８に合致するように握ると、光ディスク１の底面に爪１２が左右に開きセットされ、この状態で前記中心軸ツマミ１５とスライドツマミ８を垂直に引き上げ、光ディスク１を中心軸筒４から取り出す。
なお、光ディスク１をスライド軸筒１１から取り外す方法は、取り出した光ディスク１を上向きにして中心軸ツマミ１５とスライドツマミ８の握りを解除し爪１２を閉じ取り外す。
【発明の効果】
【００１０】光ディスクの外周部側面にタイトル等を１箇所又は複数の箇所に印刷ができる為、数倍のレンズ等を設けた収納容具を使用する事により、所望の光ディスクが容易に見付けられる。
【００１１】前記光ディスクを数十枚と大量に収納出来、機能として具備した、レンズと光ディスク取り出し機構により、所望の光ディスクが取り出せる収納容具を併用する事で、前記光ディスクの外周側面印刷の効果をさらにあげる事ができる。
【図面の簡単な説明】
【００１２】
【図１】本発明の光ディスク外周部側面印刷光ディスクを示す正面図。
【図２】本発明の光ディスク外周部側面印刷光ディスクのレンズ使用の状態を示す正面図。
【図３】本発明の併用する収納容具スライド軸筒の機構を示す部分断面斜視図。
【図４】本発明の併用する収納容具スライド軸筒の爪の閉じた状態を示す部分断面詳細斜視図。
【図５】本発明の併用する収納容具スライド軸筒の爪の開いた状態を示す部分断面詳細斜視図。
【図６】本発明の併用する収納容器スライド軸筒を示す正面図。
【図７】本発明の光ディスク外周部側面印刷光ディスクの収納容具を示す斜視図。
【図８】本発明の光ディスク外周部側面印刷光ディスクと収納容具を併用した状態を示す部分断面斜視図。
【図９】本発明の光ディスク外周部側面印刷光ディスクと収納容具を併用した実施例を示す正面図。
【図１０】本発明の光ディスク外周部側面印刷光ディスクと収納容具を併用した実施例を示す正面図。
【号の説明】
【００１３】１：光ディスク
２：タイトル
３：レンズ
４：中心軸筒
５：回転軸
６：カバーベース
７：ベース
８：スライドツマミ
９：スライドリブ
１０：カウント目盛り
１１：スライド軸筒
１２：爪
１３：爪取付けボックス
１４：押しバネ
１５：中心軸ツマミ
１６：中心軸
１７：圧縮バネ
１８：透明カバー
１９：ロックリブ
２０：蓋
２１：ストッパー
２２：レンズ回転レバー
【図１】
2008243346.tif 000003
【図２】
2008243346.tif 000004
【図３】
2008243346.tif 000005
【図４】
2008243346.tif 000006
【図５】
2008243346.tif 000007
【図６】
2008243346.tif 000008
【図７】
2008243346.tif 000009
【図８】
2008243346.tif 000010
【図９】
2008243346.tif 000011
【図１０】
2008243346.tif 000012